(57)【特許請求の範囲】
【請求項１】
板部本体（４）の前部及び後部に、仕切部材（７）における前部及び後部の取付脚（８，９）を各別に差し込ませる脚入れ孔（１１，１２）が設けられた棚板において、少なくとも前部の脚入れ孔（１１）に対応して該脚入れ孔（１１）の所定だけ下方位を塞ぐ底板部（２３）が設けられており、
前記板部本体（４）の外端部には、該板部本体（４）の素材板を板部本体（４）より下側で折り曲げて形成した框部（５）（６）が設けられており、前記底板部（２３）（３１）が、框部（５）（６）において前記脚入れ孔（１１）（１２）の下方を横切る配置で設けられた横向きの折り曲げ片部（２０）（２６）を兼ねるかたちで板部本体（４）と一体形成されており、
前記框部（５）（６）は、前記脚入れ孔（１１）（１２）の下方を横切る横向きの折り曲げ片部（１８，２０）（２８，２６）を少なくとも上下２段に有した構造とされており、このうち下側の折り曲げ片部（２０）（２６）が前記底板部（２３）（３１）の兼用形成に用いられていると共に、これより上側の折り曲げ片部（１８）（２８）に対して、前記脚入れ孔（１１）（１２）の真下位置と合致する補助脚入れ孔（２２）（３０）が設けられており、
前記板部本体（４）に設けられる脚入れ孔（１１）（１２）が仕切部材（７）における取付脚（８）（９）の脚径に適応した丸孔に形成され、該脚入れ孔（１１）（１２）の真下位置に設けられる補助脚入れ孔（２２）（３０）が上記脚入れ孔（１１）（１２）を長径化した長丸孔に形成されていることを特徴とする棚板。
【請求項２】
前部及び後部の両方の脚入れ孔（１１，１２）に対応して前記底板部（２３，３１）が設けられていることを特徴とする請求項１記載の棚板。
【請求項３】
板部本体（４）の前縁部に、該板部本体（４）の素材板を板部本体（４）より下側で折り曲げることによって一体的に形成した掲示板部（１３）が設けられていることを特徴とする請求項１又は請求項２記載の棚板。
【請求項４】
前記掲示板部（１３）は、板部本体（４）の素材板を板部本体（４）より下側で折り曲げることによって前部框部（５）を形成させた状態で、該前部框部（５）の下端を更に正面側へ巻き上げることによって形成されていることを特徴とする請求項３記載の棚板。
【請求項５】
前記前部框部（５）は、板部本体（４）の素材板を当該板部本体（４）の前縁部から下向きに折り曲げることによって形成した垂下壁部（１７）を有していると共に、前記掲示板部（１３）は、上記垂下壁部（１７）の正面側に沿って立ち上がる部分（３５）を有したものとされており、この立上げ部分（３５）と垂下壁部（１７）とが所定高さ位置で固着されることによってこの固着部分の上側にクリップ用溝部（１４）が設けられていることを特徴とする請求項４記載の棚板。
【請求項６】
板部本体（４）の前縁部に、該板部本体（４）の素材板を板部本体（４）より下側で折り曲げることによって一体的に形成した掲示板部（１３）が設けられていることを特徴とする請求項５記載の棚板。
【請求項７】
請求項１乃至請求項６のいずれかに記載された棚板（１）を具備していることを特徴とする什器。
【発明の詳細な説明】
【０００１】
【発明の属する技術分野】
本発明は、棚板及び什器に関するものである。
【０００２】
【従来の技術】
図９及び図１０は、商品陳列棚等の什器で用いられる従来の板金製棚板１００を示している。
この種の棚板１００では一般に、板部本体１０１の前部及び後部に、この板部本体１０１の素材板を下方及び内向きに折り曲げて框部１０２，１０３を形成してある。
このうち前部框部１０２は、手の出し入れ時における怪我防止や強度アップ等を図る理由から、閉鎖した角パイプ状の断面形状にされていることが多く、これに対して後部框部１０３は、構造簡潔化や軽量化等を図る理由から、コ字状の断面形状にされていることが多い。
【０００３】
そして、板部本体１０１には、前部框部１０２や後部框部１０３を上下に貫通するかたちで脚入れ孔１０５，１０６が設けられており、これらの脚入れ孔１０５，１０６を利用して、仕切部材１０７，１０８に設けられた前部及び後部の取付脚１１０を差し込ませ、棚板１００上へこの仕切部材１０７，１０８を起立状態で取り付けるものとしている。
なお、図９に示した仕切部材１０７では、前後の取付脚１１０間にこれらを連結する横棒１１２が設けられており、この横棒１１２が板部本体１０１上に引っ掛かることで、前後の取付脚１１０が脚入れ孔１０５，１０６に差し込まれる長さを制限し、もってこの仕切部材１０７の落ち込みを防止するようになっている。
【０００４】
また、図１０に示した仕切部材１０８では、上記横棒１１２に代わるものとして前後の取付脚１１０のそれぞれに鍔１１３が設けられている。この鍔１１３の作用は、上記横棒１１２のそれと同じである。
一方、前部框部１０２の正面には、Ｊ字状断面を有する条材１１５が取り付けられている。図９に拡大して示すように、この条材１１５は、正面部が、例えば商品名やバーコード等の表記カード類１１６（シールを含む）を保持（シールの場合は条材１１５の正面内方へ貼り付け）させるための掲示板部１１７として利用されている。
【０００５】
また、この条材１１５の上縁部と前部框部１０２の上端部（即ち、板部本体１０１の前縁部）との間には隙間が形成されており、この隙間が、例えばプライスカード類１１８（樹脂板や金属板を含む）の下端部を差し込んで起立させるためのクリップ用溝部１１９として利用されている。
【０００６】
【発明が解決しようとする課題】
板部本体１０１に設けられた脚入れ孔１０５，１０６は、前部框部１０２や後部框部１０３をも含めたかたちで、その全体を上下に貫通したものであるため、この脚入れ孔１０５，１０６へ仕切部材１０７，１０８の取付脚１１０を差し込むと、これら取付脚１１０の下端が前部框部１０２や後部框部１０３の下部へ突き抜ける状態となる。
そのため、この棚板１００を正面乃至下方側から見る者にとって見栄え上、好ましくないということがあった。
【０００７】
また特に、前部框部１０２の下部へ突き抜けている仕切部材１０７，１０８の前部の取付脚１１０は、これより下段側の棚板に対して商品の出し入れをする時等に引っ掛かりの原因になるおそれがあった。
一方、板部本体１０１の前部側へ掲示板部１１７やクリップ用溝部１１９を設けるためには、上記のように、前部框部１０２の正面に対して板部本体１０１とは別部材である条材１１５を溶接等によって取り付けるものとしていた。
そのため、この条材１１５の取付作業時において、条材１１５を板部本体１０１に対して位置決めしたり保持したりする手間が面倒となって、これが棚板１００全体としての製作能率に多大な悪影響を及ぼすこととなり、またコスト高に繋がるという難点もあった。
【０００８】
本発明は、上記事情に鑑みてなされたものであって、仕切部材を取り付けた状態として見栄えが悪くなるのを防止できると共に、商品の出し入れが容易に行えるようにした棚板及び什器を提供することを第１の目的としている。
また本発明は、板部本体の前部側に対して掲示板部やクリップ用溝部を設けるうえで製作能率に悪影響がでることなく、またコスト高を抑制できるようにした棚板及び什器を提供することを第２の目的としている。
【０００９】
【課題を解決するための手段】
本発明では、上記目的を達成するために、次の技術的手段を講じた。
即ち、本発明に係る棚板では、板部本体の前部及び後部に、仕切部材における前部及び後部の取付脚を各別に差し込ませる脚入れ孔が設けられた棚板において、少なくとも前部の脚入れ孔に対応して該脚入れ孔の所定だけ下方位を塞ぐ底板部が設けられており、
前記板部本体の外端部には、該板部本体の素材板を板部本体より下側で折り曲げて形成した框部が設けられており、前記底板部が、框部において前記脚入れ孔の下方を横切る配置で設けられた横向きの折り曲げ片部を兼ねるかたちで板部本体と一体形成されており、
前記框部は、前記脚入れ孔の下方を横切る横向きの折り曲げ片部を少なくとも上下２段に有した構造とされており、このうち下側の折り曲げ片部が前記底板部の兼用形成に用いられていると共に、これより上側の折り曲げ片部に対して、前記脚入れ孔の真下位置と合致する補助脚入れ孔が設けられており、
前記板部本体に設けられる脚入れ孔が仕切部材における取付脚の脚径に適応した丸孔に形成され、該脚入れ孔の真下位置に設けられる補助脚入れ孔が上記脚入れ孔を長径化した長丸孔に形成されている。
【００１０】
このような構成であれば、少なくとも前部の脚入れ孔に対して、仕切部材における前部の取付脚を差し込んだ場合に、この取付脚の下端は底板部に当接することによってそれより下方へ突き抜けることがないものとなる。従って、上記した第１の目的は達成されるものとなる。
また、仕切部材において、少なくとも前部の取付脚における下端が底板部に当接すれば、これに伴い、仕切部材はそれ以降の落ち込みを防止されることとなる。従って、従来の仕切部材とは異なり、仕切部材に対してわざわざ落ち込みを防止するための横棒や鍔を設ける必要がなくなり、構造上及び外観上の簡潔化、軽量化、低コスト化等が図れるといった副次的効果も得られる。
【００１１】
板部本体の外端部（例えば前部や後部）に対し、この板部本体の素材板を板部本体より下側で折り曲げて形成した框部が設けられている場合において、前記底板部は、この框部の一部（即ち、脚入れ孔の下方を横切る配置で設ける横向きの折り曲げ片部）を兼ねる構造とすることにより、底板部を板部本体と一体形成させることができ、底板の形成が容易となると共に、低コスト化が図れる。
上記した框部は、脚入れ孔の下方を横切るように設けられる横向きの折り曲げ片部を、少なくとも上下２段に有した構造としておくと、次のような利点が得られる。
【００１２】
すなわち、下側の折り曲げ片部で上記した底板部を形成させるものとし、これより上側の折り曲げ片部で、脚入れ孔の真下位置と合致する補助脚入れ孔を設けさせるといった構造が採用できる。
結果として、仕切部材の取付脚を脚入れ孔へ差し込むと、この取付脚の下端が底板部に当接する状態になれば必ず、取付脚が補助脚入れ孔を通過していることを意味する。このように、仕切部材の取付脚は、脚入れ孔と補助脚入れ孔との上下２か所で支持されることになり、仕切部材の起立状態がフラツキの生じない安定したものとなる。
【００１３】
板部本体に設けられる脚入れ孔は、仕切部材における取付脚の脚径に適応した丸孔に形成しておき、この脚入れ孔の真下位置に設けられる補助脚入れ孔は、上記脚入れ孔を長径化した長丸孔に形成しておくのがよい。
このようにすると補助脚入れ孔に対し、仕切部材における取付脚の脚径に多少の余裕ができるので、仕切部材の取付脚を、脚入れ孔と補助脚入れ孔との双方へ二重に差し込むといったことに対しても、容易性を確保できるものとなる。
なお、底板部は、前部の脚入れ孔だけでなく、後部の脚入れ孔にも対応させて設ければよいことは言うまでもない。
【００１４】
また、補助脚入れ孔ではなく、脚入れ孔の方を丸孔としているため、板部本体を上から見たときでも、この脚入れ孔に対する仕切部材の取付脚の差込部分に隙間は生じず、見栄えを悪くするものではない。
一方、板部本体の前縁部に、この板部本体の素材板を板部本体より下側で折り曲げることにより、掲示板部を設けることができる。すなわち、板部本体と掲示板部とを一体形成させるものである。
これであれば、板部本体の前部側に掲示板部を設けるために、わざわざ別部材としての条材を溶接する必要がなくなり、製作能率を高めることができる。
【００１５】
この場合、板部本体の素材板を板部本体より下側で折り曲げることによって前部框部を形成させた後に、この前部框部の下端を更に正面側へ巻き上げることで掲示板部を形成させるようにすればよい。すなわち、板部本体と掲示板部とだけでなく、前部框部をも一体形成させるものである。
更に、前部框部を形成させるときには、板部本体の素材板を前縁部から下向きに折り曲げて垂下壁部を有したものとさせておき、また掲示板部を形成させるときには、上記垂下壁部の正面側に沿って立ち上がる部分を有したものとさせておく。
【００１６】
そして、この掲示板部における立上げ部分と前部框部における垂下壁部とを所定高さ位置で固着する構造としておくと、この固着部分の上側に、プライスカード類（樹脂板や金属板を含む）の下端部を差し込んで起立させるためのクリップ用溝部を設けさせることができる。
これであれば、掲示板部だけでなく、クリップ用溝部の形成も容易となり、上記した第２の目的も達成されるものとなる。
本発明に係る什器では、上記のように第１及び第２の目的を達成可能な棚板を具備していることによる作用効果を得ることができるものである。
【００１７】
【発明の実施の形態】
以下、図面に基づいて本発明の実施の形態を説明する。
図１及び図２は、本発明に係る棚板１の第１実施形態を示している。また図３は、この第１実施形態の棚板１を具備することによって構成された本発明に係る什器２（商品陳列棚）を示している。
図１及び図２において、この棚板１は板金製とされており、板部本体４の前部寄り下部及び後部寄り下部には、それぞれ、この板部本体４の素材板を板部本体４より下側で折り曲げることによって形成した前部框部５及び後部框部６が設けられている。
【００１８】
また板部本体４には、これら前部框部５及び後部框部６に各対応する配置で、仕切部材７（図３参照）における前部の取付脚８及び後部の取付脚９を各別に差し込ませるための脚入れ孔１１，１２が設けられている。
更に、板部本体４の前部には、前方へ張り出すかたちで掲示板部１３が設けられていると共に、この掲示板部１３と板部本体４の前縁部（前部框部５の前面）との上部間に、クリップ溝部１４が設けられている。
上記した前部框部５は、断面Ｓ字状に形成されている。
【００１９】
すなわち、この前部框部５は、板部本体４の前縁部から折曲して下向きに延びる第１垂下壁部１７と、この第１垂下壁部１７の下端から折曲して内向き（後向き）に延びる第１折り曲げ片部１８と、この第１折り曲げ片部１８の内方端から折曲して再び下向きに延びる第２垂下壁部１９と、この第２垂下壁部１９の下端から折曲して外向き（前向き）に延びる第２折り曲げ片部２０とを有している。
上記第１折り曲げ片部１８は、板部本体４に設けられた前部の脚入れ孔１１に対して、その所定だけ下方を横切る配置となっており、上記第２折り曲げ片部２０は、この第１折り曲げ片部１８の更に所定だけ下方を横切る配置となっている。従って、これら両折り曲げ片部１８，２０は、板部本体４の下方にあって上下２段構造を呈していることになる。
【００２０】
そして、第１折り曲げ片部１８には、前部の脚入れ孔１１に対してその真下位置と合致する補助脚入れ孔２２が設けられている。
これに対して第２折り曲げ片部２０には、上記補助脚入れ孔２２のような孔は設けられておらず、これによりこの第２折り曲げ片部２０は、脚入れ孔１１及び補助脚入れ孔２２の所定だけ下方位を横切って塞ぐようになる底板部２３を兼用的に形成していることになる。
脚入れ孔１１は、仕切部材７における前部の取付脚８の脚径に適応した丸孔（即ち、取付脚８にガタツキを生じさせず、それでいて抜き差しは容易となる孔径を有した孔）に形成されているが、これに対して補助脚入れ孔２２は、上記脚入れ孔１１を前後方向へ長径化した長丸孔に形成されている。
【００２１】
一方、上記した後部框部６は、断面ａ字状に形成されている。
すなわち、この後部框部６は、板部本体４の後縁部から折曲して下向きに延びる第３垂下壁部２５と、この第３垂下壁部２５の下端から折曲して内向き（前向き）に延びる第３折り曲げ片部２６と、この第３折り曲げ片部２６の内方端から折曲して上向きに延びる起立壁部２７と、この起立壁部２７の上端から折曲して外向き（後向き）に延びる第４折り曲げ片部２８とを有している。
上記第４折り曲げ片部２８は、板部本体４に設けられた後部の脚入れ孔１２に対して、その所定だけ下方を横切る配置となっており、上記第３折り曲げ片部２６は、この第４折り曲げ片部２８の更に所定だけ下方を横切る配置となっている。従って、これら両折り曲げ片部２８，２６は、板部本体４の下方にあって上下２段構造を呈していることになる。
【００２２】
そして、第４折り曲げ片部２８には、前部の脚入れ孔１２に対してその真下位置と合致する補助脚入れ孔３０が設けられている。
これに対して第３折り曲げ片部２６には、上記補助脚入れ孔３０のような孔は設けられておらず、これによりこの第３折り曲げ片部２６は、脚入れ孔１２及び補助脚入れ孔３０の所定だけ下方位を横切って塞ぐようになる底板部３１を兼用的に形成していることになる。
脚入れ孔１２は、仕切部材７における後部の取付脚９の脚径に適応した丸孔（即ち、取付脚８にガタツキを生じさせず、それでいて抜き差しは容易となる孔径を有した孔）に形成されているが、これに対して補助脚入れ孔３０は、上記脚入れ孔１２を前後方向へ長径化した長丸孔に形成されている。
【００２３】
上記した掲示板部１３は、前部框部５の下端（第２折り曲げ片部２０の外方端）が前方へある程度延出された後、その上側へ巻き上げるかたちで断面Ｊ字状に折り曲げられて、形成されたものとなっている。
この掲示板部１３において、Ｊ字状断面形体における下側前縁端部と上側端部との２か所には、商品名やバーコード等の表記カード類（図示略）を挟み込んで保持するときの脱落防止にする係止片部３３，３４が設けられている。
また、この掲示板部１３では、上記した前部框部５の第１垂下壁部１７に対してその正面側に沿って立ち上がる立上げ部分３５を有したものとなっている。従って、上記表記カード類がシールであるときには、この立上げ部分３５の正面へ貼り付ければよいものとなっている。
【００２４】
なお、上記立上げ部分３５は、それより下側の湾曲部に近い部分（掲示板部１３の全高としての略中間高さ部分）で、前部框部５の第１垂下壁部１７とスポット溶接等により固着されている。そして、立上げ部分３５においてこの固着部分より上側は、腰折れ状となるかたちで前方へ突き出すように折り曲げられている。
従って、この立上げ部分３５と前部框部５の第１垂下壁部１７との前後間には、上記固着部分より上側に隙間が形成されることになっており、この隙間が、上記したクリップ用溝部１４とされている。
【００２５】
このクリップ用溝部１４は、図示は省略するが、プライスカード類（樹脂板や金属板を含む）の下端部を差し込んで起立させるために使用されるものである。
以上の説明から明らかなように、この棚板１は、前部脚入れ孔１１用の底板部２３を具備した前部框部５、掲示板部１３、クリップ溝部１４、並びに後部脚入れ孔１２用の底板部３１を具備した後部框部６のそれぞれが、板部本体４を核としてその素材板により一体形成されている。
【００２６】
このような構成の棚板１は、図３に示したように、台枠３７、縦桟３８、背板３９等を組み立てて形成したフレーム４０に対し、予め、縦桟３８に設けられた係止孔４１の中から所望する高さ位置に応じた複数段又は１段のものを選出してこれらに支持アーム４２を係合させたうえで、この支持アーム４２上へ載設させるようにする。
このようにして、本発明に係る什器２が構成される。
そして、各棚板１に対しては、所望位置の前部脚入れ孔１１及び後部脚入れ孔１２を利用して仕切り部材７を取り付ければよい。
【００２７】
図４は、本発明に係る棚板１の第２実施形態を示している。
この第２実施形態において、上記した第１実施形態と異なるところは、前部框部５及び後部框部６が厚さ（高さ方向寸法）の拡大されたものとされており、またこれに伴って、前部框部５の前部に設けられた掲示板部１３も、高さの高いものとされている点にある。
このようなことから、この第２実施形態の棚板１は、重量物の陳列や収納等に好適に使用可能となっている。なお、このような事情に合わせて、板部本体４の素材板として、第１実施形態のものより分厚めのものを用いるのが好適となっている。
【００２８】
その他の構成及び作用効果については、第１実施形態と略同様である。
図５は、本発明に係る棚板１の第３実施形態を示している。
この第３実施形態は、第１実施形態（図１参照）と同様に厚さの薄いタイプであるが、この第１実施形態と異なるところは、掲示板部１３の立上げ部分３５と前部框部５の第１垂下壁部１７との前後間にクリップ用溝部１４を形成させるに際して、掲示板部１３の立上げ部分３５には腰折れ状の折曲部を設けず、代わりに、前部框部５の第１垂下壁部１７に対して、上記立上げ部分３５との固着部分より上側に腰折れ状の折曲部を設けている点にある。
【００２９】
その他の構成及び作用効果については、第１実施形態等と略同様である。
図６は、本発明に係る棚板１の第４実施形態を示している。
この第４実施形態は、第２実施形態（図４参照）と同様に厚さの分厚いタイプであって、且つ、クリップ用溝部１４が、前部框部５の第１垂下壁部１７に腰折れ状の折曲部を設けることによって形成されたものである。
その他の構成及び作用効果については、第２実施形態等と略同様である。
図７は、本発明に係る棚板１の第５実施形態を示している。
【００３０】
この第５実施形態の棚板１は、前部框部５の材端を閉塞する安全キャップ５０を備えている。この安全キャップ５０は、ゴム又はプラスチック等の合成樹脂材料よりなり、前部框部５の断面よりも一回り大きいほぼ台形の平板状に形成された閉塞板部５１と、この閉塞板部５１の一面側に一体に突設された第１及び第２嵌合突部５２，５３と、を有する。
この第１及び第２嵌合突部５２，５３のうち、第１嵌合突部５２は、板部本体４の前端部、第１垂下壁部１７及び第１折り曲げ片部１８で囲まれた空間部に嵌まり込む長方形断面のブロック状に形成され、第２嵌合突部５３は、第１折り曲げ片部１８、第２垂下壁部１９、第２折り曲げ片部２０及び掲示板部１３で囲まれた空間部に嵌まり込む台形断面のブロック状に形成されている。
【００３１】
このため、図７（ａ）に示すように、この各嵌合突部５２，５３をそれぞれ各空間部に嵌合させるようにして当該安全キャップ５０を前部框部５の材端に嵌め込むことにより、図７（ｂ）に示すように、框部５の材端開口縁を閉塞板部５１で閉塞することができる。
従って、本実施形態の棚板１によれば、前部框部５の材端に物品が当たって損傷するのを未然に防止できる。また、第１嵌合突部５２と第２嵌合突部５３を前部框部５の材端の両空間部にそれぞれ嵌合させているので、前部框部５に対して確実に固定することができる。
【００３２】
図８は、本発明に係る棚板１の第６実施形態を示している。
この第６実施形態の棚板１では、前部框部５と後部框部６が同じ断面形状に屈曲形成され、この各框部５，６は、アリ溝状のスライド溝５４を有する掲示板部１３を備えている。この掲示板部１３は、板部本体４の縁部から下方に垂下状に屈曲されており、この掲示板部１３の下端から幅方向内側に延びる底板部２３が屈曲形成されている。
また、底板部２３の内側端には、上方に立ち上がる立壁部５５が屈曲形成され、この立壁部５５の上端には、幅方向外側に延びる中間板片部５６が屈曲形成されている。なお、板部本体４の縁部に脚入れ孔１１が設けられ、中間板片部５６に補助脚入れ孔１２が設けられている点は第１実施形態の場合と同様である。
【００３３】
ところで、本発明は、上記各実施形態に限定されるものではなく、細部構造等について、実施の態様に応じた各種変更等が可能である。
例えば、本発明に係る什器２において、本発明に係る棚板１を具備している点以外の細部構造は、何ら限定されるものではない。すなわち、図３で、表裏両面タイプとしていることや、台枠３７、背板３９、支持アーム４２を具備していること、縦桟３８に多数の係止孔４１が設けられていること等は、単に一例にすぎないものである。
【００３４】
また、什器２としての用途も、商品（販売品）陳列棚としてだけでなく、ディスプレイ用保持棚や物品収納台等をはじめ、各種の用途に採用可能である。
【００３５】
【発明の効果】
以上の説明で明らかなように、本発明に係る棚板では、板部本体に設けられる脚入れ孔に対応してその下方に底板部が設けられているので、この底板部より下方へ仕切部材の取付脚が突き抜けることはなく、仕切部材を取り付けた状態として見栄えが悪くなるのを防止できる。また、商品の出し入れが容易に行えるようになる。
また、板部本体の前部側に対し、板部本体の素材板を折り曲げて掲示板部やクリップ用溝部を設けるようにすると、棚板としての製作能率を高めることができ、また低コスト化も図れる。
【００３６】
本発明に係る什器では、上記構成の棚板を具備していることによってその作用効果を得ることができるものである。
【図面の簡単な説明】
【図１】  本発明に係る棚板の第１実施形態を示す側断面図である。
【図２】  第１実施形態の棚板を一部破砕して示す平面図である。
【図３】  第１実施形態の棚板を具備することによって構成された本発明に係る什器を示す斜視図である。
【図４】  本発明に係る棚板の第２実施形態を示す側断面図である。
【図５】  本発明に係る棚板の第３実施形態を示す側断面図である。
【図６】  本発明に係る棚板の第４実施形態を示す側断面図である。
【図７】  （ａ）は本発明に係る棚板の前部框部の端部平面図であり、（ｂ）は前部框部の側面図である。
【図８】  本発明に係る棚板の第６実施形態を示す側断面図である。
【図９】  仕切部材の一例を取り付けた状態の従来の棚板を示す側断面図である。
【図１０】  仕切部材の別例を取り付けた状態の従来の棚板を示す側断面図である。
【図１１】  従来の棚板における前部構造を拡大して示す側断面図である。
【符号の説明】
１    棚板
２    什器
４    板部本体
５    前部框部
６    後部框部
７    仕切部材
８    前部の取付脚
９    後部の取付脚
１１    前部の脚入れ孔
１２    後部の脚入れ孔
１３    掲示板部
１４    クリップ用溝部
１７    第１垂下壁部
１８    第１折り曲げ片部（上側）
２０    第２折り曲げ片部（下側）
２２    前部の補助脚入れ孔
２３    前部の底板部
２６    第３折り曲げ片部（下側）
２８    第４折り曲げ片部（上側）
３０    後部の補助脚入れ孔
３１    後部の底板部
３５    立上げ部分
【図１】
0003953684.tif 000002
【図２】
0003953684.tif 000003
【図３】
0003953684.tif 000004
【図４】
0003953684.tif 000005
【図５】
0003953684.tif 000006
【図６】
0003953684.tif 000007
【図７】
0003953684.tif 000008
【図８】
0003953684.tif 000009
【図９】
0003953684.tif 000010
【図１０】
0003953684.tif 000011
【図１１】
0003953684.tif 000012